(57)【要約】【課題】カメラ付携帯電話等のユーザーが手軽に携帯で撮影したデジタル写真を所望の相手に印刷して配送するシステムを手軽に実現さらに販売促進にも使える安価で効率的なシステムを実現する。【解決手段】販売促進手段としてデジタル写真の印刷配送サービスを行う際にカメラ付携帯電話からデジタル写真と必要な情報を管理サーバーに送付し、管理サーバーは最適な印刷手段を選択し、該当印刷手段にデジタル写真および必要な情報を送付するとともに印刷されたデジタル写真の配送を確認し該当情報を蓄積し蓄積したデータから解析を実際に行われたいサービスのみをカウントし請求等を行う。【選択図】  図２
2006178700.tif 000002
【特許請求の範囲】
【請求項１】
物販あるいはサービス販売の販売促進の目的で物品またはサービスの購入者あるいは物品の受け取り者あるいはサービス受益者に物販あるいはサービス販売者が提供するサービスとしてデジタル写真を印刷し所望の配達先に配達するデジタル写真印刷配送サービスにおいて前記デジタル写真印刷配送サービスを管理する管理サーバー、通信機能を有する端末、前記デジタル写真を印刷する印刷手段を有し、前記管理サーバーは前記デジタル写真印刷配送サービスが実施されるごとにデジタル写真印刷配送サービスを記録する蓄積手段を有し、前記蓄積手段を解析して前記物販あるいはサービス販売者に対してサービスに応じてサービス金額を請求する請求手段あるいは決済する決済手段あるいはその両者（請求手段と決済手段）を有していることを特徴とするデジタル写真印刷配送システム
【請求項２】
前記管理サーバーは前記端末から写真画像情報を取得する写真画像取得手段を有し、前記写真画像取得手段は少なくともＥメール、サーバーサイトアップロード、予め登録してある写真画像情報からの選択から選ばれた少なくとも１つの方法であり、必用に応じて複数の画像を組み合わせて新しい画像に合成することを特徴と特許請求範囲第１項記載のデジタル写真印刷配送システム
【請求項３】
前記管理サーバーは前記端末から配送先情報を取得する配送先情報取得手段を有し、前記配送先情報取得手段は少なくともＥメール、サーバーサイトアップロード、予め登録してある情報からの選択から選ばれた少なくとも１つの方法であることを特徴と特許請求範囲第１項記載のデジタル写真印刷配送システム
【請求項４】
前記管理サーバーは前記デジタル写真の配送先取得手段、前記配送先取得手段で取得した配送先に対応した印刷手段を選択する選択手段を有し、前記デジタル写真のデータを前記選択手段で選択した印刷手段に前記デジタル写真データを送信し、さらに前記デジタル写真の配送先データを通知する通知手段、前記印刷手段によって印刷されたデジタル写真は前記通知手段によって通知された配送先に配送可能とすることを特徴とする特許請求範囲第３項記載のデジタル写真印刷配送システム
【請求項５】
前記システムはデジタル写真情報に付加して文字情報を印刷可能であり、管理サーバーは前記端末から写真画像情報に付加して文字情報を取得する文字情報取得手段を有し、前記文字情報取得手段は少なくともＥメール、サーバーサイトアップロード、予め登録してある文字情報からの選択から選ばれた少なくとも１つの方法であることを特徴と特許請求範囲第１項記載のデジタル写真印刷配送システム
【請求項６】
前記管理サーバーは前記物品またはサービスの販売が行なわれた時点で前記購入者あるいは物品の受け取り者あるいはサービス受益者に対して前記デジタル写真印刷配送サービスの権利を発生させることを登録する登録手段を有し、前記権利を持つ者に対してのみ前記デジタル写真印刷配送サービスが可能にする権利有効化手段を有していることを特徴とする特許請求範囲第１項記載のデジタル写真印刷配送システム
【請求項７】
前記管理サーバーにおいては予め登録してあるデジタル写真印刷配送サービス権利化手段を前記購入者あるいは物品の受け取り者あるいはサービス受益者に知らせる通知手段を有し、前記通知手段により通知された者のみが前記権利を行使可能とすることを特徴とする特許請求範囲第６項記載のデジタル写真印刷配送システム
【請求項８】
前記権利化手段はサイトアドレス、該サイトアドレスにアクセスするためのＩＤ、暗証
であり、前記サイトにアクセスすることにより前記管理サーバーは前記アクセスしたアクセス者に前記デジタル写真印刷配送サービスを行なうことを特徴とする特許請求範囲第６項記載のデジタル写真印刷配送システム
【請求項９】
前記ＩＤ，暗証は前記物品またはサービスの購入者あるいは物品の受け取り者あるいはサービス受益者に通知する通知手段を有することを特徴とする特許請求範囲第８項記載のデジタル写真印刷配送システム
【請求項１０】
前記権利化手段は前記サービスを受けるために写真を送付するメールアドレスであり、前記メールアドレスは所定の数のメールのみを受け付けることを特徴とする特許請求範囲第６項記載のデジタル写真印刷配送システム
【請求項１１】
前記メールアドレスは前記物品またはサービスの購入者あるいは物品の受け取り者あるいはサービス受益者に通知する通知手段を有することを特徴とする特許請求範囲第１０項記載のデジタル写真印刷配送システム
【請求項１２】
前記端末がブラウザ機能付き携帯電話であって前記権利化手段は予め前記管理サーバーに登録されたブラウザ機能付き携帯電話の端末ＩＤ（各携帯電話固有の識別子）によってアクセスされた場合、該当端末ＩＤのアクセス許可を行なうアクセス許可手段によって該当者に前記デジタル写真印刷配送サービスサービス提供することを特徴とする特許請求範囲第８項記載のデジタル写真印刷配送システム
【請求項１３】
前記管理サーバーは前記配送先取得手段により取得した配送先に対応する印刷手段にデジタル写真テータと同時に前記デジタル写真の配送先データを通知する通知手段を有し前記印刷手段によって印刷されたデジタル写真は前記通知手段によって通知された配送先に配送可能としたことを特徴とする特許請求範囲第３項記載のデジタル写真印刷配送システム
【請求項１４】
前記通知手段は前記デジタル写真と同一の紙または樹脂に配送先が印刷出力されたことを特徴とする特許請求範囲第１３項記載のデジタル写真印刷配送システム
【請求項１５】
前記通知手段は前記デジタル写真を印刷した印刷物をパッケージングするパッケージに配送先が印刷出力されるパッケージ印刷手段であり、前記印刷されたデジタル写真は前記配送先が印刷されたパッケージにパッケージされ配送されることを特徴とする特許請求範囲第１３項記載のデジタル写真印刷配送システム
【請求項１６】
前記配送先が印刷されたパッケージと該当配送先に配送される前記デジタル写真を印刷した印刷物は配送先指定手段により他の配送先と区別され、前記配送先指定手段は前記デジタル写真を印刷した印刷物の一部に識別コードを有し、前記識別コードを認識することにより該当する前記配送先が印刷されたパッケージ格納されることを特徴とする特許請求範囲第１５項記載のデジタル写真印刷配送システム
【請求項１７】
物販あるいはサービス販売の販売促進の目的で物品またはサービスの購入者あるいは物品の受け取り者あるいはサービス受益者に物販あるいはサービス販売者が提供するサービスとしてデジタル写真を印刷し所望の配達先に配達するデジタル写真印刷配送サービスにおいて前記デジタル写真印刷配送サービスを管理する管理サーバー、通信機能を有する端末、前記デジタル写真を印刷する印刷手段を有し、さらに前記デジタル写真印刷配送サービスは前記物販あるいはサービス販売の販売者のポイントシステムとして連動しており、前記ポイントが所定に達した購入者あるいは物品の受け取り者あるいはサービス受益者に対して前記管理サーバーに前記デジタル写真印刷配送サービスを受けることが可能とうする有効化手段を有していることを特長とするデジタル写真印刷配送システム
【請求項１８】
前記管理サーバーは前記デジタル写真印刷配送サービスが実施されるごとにデジタル写真印刷配送サービスを記録する蓄積手段を有し、前記蓄積手段を解析して前記物販あるいはサービス販売者に対してサービスに応じてサービス金額を請求する請求手段あるいは決済する決済手段あるいはその両者（請求手段と決済手段）を有していることを特徴とする特許請求範囲第１７項記載のデジタル写真印刷配送システム
【請求項１９】
前記管理サーバーは前記端末から写真画像情報を取得する写真画像取得手段を有し、前記写真画像取得手段は少なくともＥメール、サーバーサイトアップロード、予め登録してある写真画像情報からの選択から選ばれた少なくとも１つの方法であり、必用に応じて複数の画像を組み合わせて新しい画像に合成することを特徴とする特許請求範囲第１７項記載のデジタル写真印刷配送システム
【請求項２０】
前記管理サーバーは前記端末から配送先情報を取得する配送先情報取得手段を有し、前記配送先情報取得手段は少なくともＥメール、サーバーサイトアップロード、予め登録してある情報からの選択から選ばれた少なくとも１つの方法であることを特徴と特許請求範囲第１７項記載のデジタル写真印刷配送システム
【請求項２１】
前記管理サーバーは前記デジタル写真の配送先取得手段、前記配送先取得手段で取得した配送先に対応した印刷手段を選択する選択手段を有し、前記デジタル写真のデータを前記選択手段で選択した印刷手段に前記デジタル写真データを送信し、さらに前記デジタル写真の配送先データを通知する通知手段、前記印刷手段によって印刷されたデジタル写真は前記通知手段によって通知された配送先に配送可能とすることを特徴とする特許請求範囲第２０項記載のデジタル写真印刷配送システム
【請求項２２】
前記システムはデジタル写真情報に付加して文字情報を印刷可能であり、管理サーバーは前記端末から写真画像情報に付加して文字情報を取得する文字情報取得手段を有し、前記文字情報取得手段は少なくともＥメール、サーバーサイトアップロード、予め登録してある文字情報からの選択から選ばれた少なくとも１つの方法であることを特徴と特許請求範囲第１７項記載のデジタル写真印刷配送システム
【請求項２３】
前記有効化手段は予め登録してある前記購入者あるいは物品の受け取り者あるいはサービス受益者に知らせる通知手段を有し、前記通知手段により通知された者のみが前記権利を行使可能とすることを特徴とする特許請求範囲第１７項記載のデジタル写真印刷配送システム
【請求項２４】
前記有効化手段はサイトアドレス、該サイトアドレスにアクセスするためのＩＤ、暗証
であり、前記サイトにアクセスすることにより前記管理サーバーは前記アクセスしたアクセス者に前記デジタル写真印刷配送サービスを行なうことを特徴とする特許請求範囲第１７項記載のデジタル写真印刷配送システム
【請求項２５】
前記ＩＤ，暗証は前記物品またはサービスの購入者あるいは物品の受け取り者あるいはサービス受益者に通知する通知手段を有することを特徴とする特許請求範囲第２４項記載のデジタル写真印刷配送システム
【請求項２６】
前記有効化手段は前記サービスを受けるために写真を送付するメールアドレスであり、前記メールアドレスは所定の数のメールのみを受け付けることを特徴とする特許請求範囲第１７項記載のデジタル写真印刷配送システム
【請求項２７】
前記メールアドレスは前記物品またはサービスの購入者あるいは物品の受け取り者あるいはサービス受益者に通知する通知手段を有することを特徴とする特許請求範囲第２６項記載のデジタル写真印刷配送システム
【請求項２８】
前記端末がブラウザ機能付き携帯電話であって前記有効化手段は予め前記管理サーバーに登録されたブラウザ機能付き携帯電話の端末ＩＤ（各携帯電話固有の識別子）によってアクセスされた場合、該当端末ＩＤのアクセス許可を行なうアクセス許可手段によって該当者に前記デジタル写真印刷配送サービスサービス提供することを特徴とする特許請求範囲第１７項記載のデジタル写真印刷配送システム
【請求項２９】
前記管理サーバーは前記配送先取得手段により取得した配送先に対応する印刷手段にデジタル写真テータと同時に前記デジタル写真の配送先データを通知する通知手段を有し前記印刷手段によって印刷されたデジタル写真は前記通知手段によって通知された配送先に配送可能としたことを特徴とする特許請求範囲第２０項記載のデジタル写真印刷配送システム
【請求項３０】
前記通知手段は前記デジタル写真と同一の紙または樹脂に配送先が印刷出力されたことを特徴とする特許請求範囲第２９項記載のデジタル写真印刷配送システム
【請求項３１】
前記通知手段は前記デジタル写真を印刷した印刷物をパッケージングするパッケージに配送先が印刷出力されるパッケージ印刷手段であり、前記印刷されたデジタル写真は前記配送先が印刷されたパッケージにパッケージされ配送されることを特徴とする特許請求範囲第２９項記載のデジタル写真印刷配送システム
【請求項３２】
前記配送先が印刷されたパッケージと該当配送先に配送される前記デジタル写真を印刷した印刷物は配送先指定手段により他の配送先と区別され、前記配送先指定手段は前記デジタル写真を印刷した印刷物の一部に識別コードを有し、前記識別コードを認識することにより該当する前記配送先が印刷されたパッケージ格納されることを特徴とする特許請求範囲第３１項記載のデジタル写真印刷配送システム
【請求項３３】
前記ポイントシステムとの連動はポイントを管理しているポイント管理サーバーから前記管理サーバーへの前記購入者あるいは物品の受け取り者あるいはサービス受益者と該当者に対するデジタル写真印刷配送許可及び数量を通知により行なわれることを特徴とする特許請求範囲第１７項記載のデジタル写真印刷配送システム
【請求項３４】
デジタル写真を通信回線を通じて送信し前記デジタル写真を印刷、配送するシステムにおいて、前記デジタル写真印刷配送サービスを管理する管理サーバー、通信機能を有する端末、前記デジタル写真を印刷する印刷手段、前記デジタル写真を印刷配送サービスのサービス料金を決済する決済手段、前記管理サーバーは前記デジタル写真の配送先を取得する配送先取得手段、前記配送先取得手段で取得した配送先に対応した印刷手段を選択する選択手段を有し、前記デジタル写真のデータを前記選択手段で選択した印刷手段に前記デジタル写真データを送信し、さらに前記デジタル写真の配送先データを通知する通知手段、前記印刷手段によって印刷されたデジタル写真は前記通知手段によって通知された配送先に配送可能としたことを特徴とするデジタル写真印刷配送システム
【請求項３５】
前記通信機能を有する端末はカメラ・ブラウザ機能付携帯電話であり、前記管理サーバーには前記カメラ・ブラウザ機能付携帯電話の端末ＩＤにより認証によりアクセス可能としたことを特徴とする特許請求範囲第３４項記載のデジタル写真印刷配送システム
【請求項３６】
前記管理サーバーは前記端末から写真画像情報を取得する写真画像取得手段を有し、前記写真画像取得手段は少なくともＥメール、サーバーサイトアップロード、予め登録してある写真画像情報からの選択から選ばれた少なくとも１つの方法であり、必用に応じて複数の画像を組み合わせて新しい画像に合成することを特徴と特許請求範囲第３４項記載のデジタル写真印刷配送システム
【請求項３７】
前記管理サーバーは前記端末から配送先情報を取得する配送先情報取得手段を有し、前記配送先情報取得手段は少なくともＥメール、サーバーサイトアップロード、予め登録してある情報からの選択から選ばれた少なくとも１つの方法であることを特徴と特許請求範囲第３４項記載のデジタル写真印刷配送システム
【請求項３８】
前記管理サーバーは前記デジタル写真の配送先取得手段、前記配送先取得手段で取得した配送先に対応した印刷手段を選択する選択手段を有し、前記デジタル写真のデータを前記選択手段で選択した印刷手段に前記デジタル写真データを送信し、さらに前記デジタル写真の配送先データを通知する通知手段、前記印刷手段によって印刷されたデジタル写真は前記通知手段によって通知された配送先に配送可能とすることを特徴とする特許請求範囲第３７項記載のデジタル写真印刷配送システム
【請求項３９】
前記システムはデジタル写真情報に付加して文字情報を印刷可能であり、管理サーバーは前記端末から写真画像情報に付加して文字情報を取得する文字情報取得手段を有し、前記文字情報取得手段は少なくともＥメール、サーバーサイトアップロード、予め登録してある文字情報からの選択から選ばれた少なくとも１つの方法であることを特徴と特許請求範囲第３４項記載のデジタル写真印刷配送システム
【請求項４０】
前記管理サーバーは前記配送先取得手段により取得した配送先に対応する印刷手段にデジタル写真テータと同時に前記デジタル写真の配送先データを通知する通知手段を有し前記印刷手段によって印刷されたデジタル写真は前記通知手段によって通知された配送先に配送可能としたことを特徴とする特許請求範囲第３７項記載のデジタル写真印刷配送システム
【請求項４１】
前記通知手段は前記デジタル写真と同一の紙または樹脂に配送先が印刷出力されたことを特徴とする特許請求範囲第４０項記載のデジタル写真印刷配送システム
【請求項４２】
前記通知手段は前記デジタル写真を印刷した印刷物をパッケージングするパッケージに配送先が印刷出力されるパッケージ印刷手段であり、前記印刷されたデジタル写真は前記配送先が印刷されたパッケージにパッケージされ配送されることを特徴とする特許請求範囲第４０項記載のデジタル写真印刷配送システム
【請求項４３】
前記配送先が印刷されたパッケージと該当配送先に配送される前記デジタル写真を印刷した印刷物は配送先指定手段により他の配送先と区別され、前記配送先指定手段は前記デジタル写真を印刷した印刷物の一部に識別コードを有し、前記識別コードを認識することにより該当する前記配送先が印刷されたパッケージ格納されることを特徴とする特許請求範囲第４２項記載のデジタル写真印刷配送システム
【発明の詳細な説明】
【技術分野】
【０００１】
本発明はデジタル写真の印刷とその配送を行なうシステムに関する。
【背景技術】
【０００２】
従来写真のプリントはＤＰ受け付け店などでフィルムを持ち込んだりあるいはデジタルデータ（デジタル写真データ）の格納されたメディアなどを持ち込み依頼を行なってきた。近年デジタルカメラの普及とともにインターネット等を通じてデジタル写真を送り受け取る仕組みなども一般化されてきている。例えば特開平１０−７８６１８、デジタルプリントの発注納入方法およびシステムは店舗に出向くことなく発注者に配送する仕組みとなっている。また特開２００１−２３２９００、葉書印刷システム及び葉書印刷方法はユーザーに印刷物を返却することなく安全に葉書を印刷するサービスを提供している。
【発明の開示】
【発明が解決しようとする課題】
【０００３】
しかしながら従来の上記システムにおいては前者ではプリントされた紙などを発注者に返却されるものであり、それぞれプリントされたものを他のところに送るということには対応していなかった。後者においてはそれぞれの印刷物を葉書という郵便システムを使い効率的に異なった送り先に写真プリントを送るものである。現在カメラ付き携帯電話が普及してきているが、このカメラ付き携帯電話で撮影した写真を手軽に撮影した時に送りたいという個人の要望があると共にこの個人の要望を満足させながら物品販売あるいはサービスの販売の販促手段に適応されるには十分ではなかった。さらに販促のみではなく個人でもカメラ付き携帯電話等で手軽に安価に効率的な配送を行なってくれるシステムが待ち望まれていた。
【０００４】
本発明は、上記のような従来の問題点を解決するものであり、カメラ付き携帯電話から所望にところに印刷された紙または樹脂を送りたいという個人の要望を販売促進にシステムに結び付けさらに不必要な販売促進費用をかけることなく効率的にデジタル写真印刷されたものを配送すること、さらに個人でもこのカメラ付き携帯電話から所望にところに安価に手がるに印刷された紙または樹脂を送りたいという要望を満足させるシステムを提供することである。
【課題を解決するための手段】
【０００５】
前述の課題を解決するために本発明者は鋭意研究の結果以下の手段をとった。すなわち物販あるいはサービス販売の販売促進の目的で物品またはサービスの購入者あるいは物品の受け取り者あるいはサービス受益者に物販あるいはサービス販売者が提供するサービスとしてデジタル写真を印刷し所望の配達先に配達するデジタル写真印刷配送サービスにおいてこのデジタル写真印刷配送サービスを管理する管理サーバー、通信機能を有する端末、前述のデジタル写真を印刷する印刷手段から構成され、この管理サーバーはデジタル写真印刷配送サービスが実施されるごとにデジタル写真印刷配送サービスを記録する蓄積手段を有し、この蓄積手段を解析して前記物販あるいはサービス販売者に対してサービスに応じてサービス金額を請求する請求手段あるいは決済する決済手段あるいはその両者（請求手段と決済手段）を有しているデジタル写真印刷配送システムであればよい。
【０００６】
この管理サーバーは前述の端末から画像情報を取得する写真画像取得手段を有し、この写真画像取得手段は少なくともＥメール、サーバーサイトアップロード、予め登録してある情報からの選択から選ばれた少なくとも１つの方法であればよく、必用に応じて複数の画像を組み合わせて合成することもさらに効果的である。例えば人の写真画像と予め登録されている観光地の写真画像と組み合わせて人がこの観光地にいるごとく合成された写真画像などである。
【０００７】
デジタル写真を印刷したものの配送先についてはこの管理サーバーは前述の端末から配送先情報を取得する配送先情報取得手段を設けておき、この配送先情報取得手段は少なくともＥメール、サーバーサイトアップロード、予め登録してある情報からの選択から選ばれた少なくとも１つの方法であればよい。
【０００８】
また効率的に配送先に配送するためにこの管理サーバーは前述のデジタル写真の配送先取得手段、配送先取得手段で取得した配送先に対応した印刷手段を選択する選択手段を設けておき、デジタル写真のデータを前述の選択手段で選択した印刷手段にデジタル写真データを送信し、さらにデジタル写真の配送先データを通知する通知手段、前述の印刷手段によって印刷されたデジタル写真はこの通知手段によって通知された配送先に配送可能とすればよい。印刷手段の選択は該当配送先に一番都合のよい配送センターにある印刷手段とうを選択すればよい。
【０００９】
またこのシステムは必用に応じてデジタル写真情報に付加して文字情報を印刷可能であり、管理サーバーは前述の端末から写真画像情報に付加して文字情報を取得する文字情報取得手段を設けておき、この文字情報取得手段は少なくともＥメール、サーバーサイトアップロード、予め登録してある文字情報からの選択から選ばれた少なくとも１つの方法であればよい。例えば季節の挨拶などは予め登録しておきユーザーが選択できれば手軽に挨拶付き写真を送ることが可能となる。
【００１０】
この管理サーバーは前記物品またはサービスの販売が行なわれた時点で前述の購入者あるいは物品の受け取り者あるいはサービス受益者に対してデジタル写真印刷配送サービスの権利を発生させることを登録する登録手段を有し、この権利を持つ者に対してのみデジタル写真印刷配送サービスが可能にする権利有効化手段を有していればよい。
【００１１】
そしてこの管理サーバーにおいては予め登録してあるデジタル写真印刷配送サービス権利化手段を前述の購入者あるいは物品の受け取り者あるいはサービス受益者に知らせる通知手段を設けておき、この通知手段により通知された者のみが権利を行使可能とするようにすればよい。
【００１２】
この権利化手段はサイトアドレス、該サイトアドレスにアクセスするためのＩＤ、暗証
であり、該サイトにアクセスすることにより管理サーバーは前述のアクセスしたアクセス者にデジタル写真印刷配送サービスを行なうようにすればよい。
【００１３】
このＩＤ，暗証は前述の物品またはサービスの購入者あるいは物品の受け取り者あるいはサービス受益者に通知する通知手段を設けておけばよい。例えばこの通知手段としてはＩＤ、暗証は商品販売の場合であれば商品パッケージの中に、サービスであればサービス説明書等にサイトアドレスと共にこのＩＤ、暗証を印刷したものを同封しておけばよい。
【００１４】
あるいはこの権利化手段はサービスを受けるために写真を送付するメールアドレスであり、このメールアドレスは所定の数のメールのみを受け付けるようにしておかばよい。もちろんこのメールアドレスは他と区別するためユニークなものであることは言うまでもない。
【００１５】
そしてこのメールアドレスは物品またはサービスの購入者あるいは物品の受け取り者あるいはサービス受益者に通知する通知手段を設けておけばよい。例えばこの通知手段としてはメールアドレスを印刷したものを商品販売の場合であれば商品パッケージの中に、サービスであればサービス説明書等にこのメールアドレスを印刷したものを同封しておけばよい。
【００１６】
あるいはこのサービスを受けるユーザーの端末がブラウザ機能付き携帯電話であってこの権利化手段は予め管理サーバーに登録されたブラウザ機能付き携帯電話の端末ＩＤ（各携帯電話固有の識別子）によってアクセスされた場合、該当端末ＩＤのアクセス許可を行なうアクセス許可手段によって該当者にデジタル写真印刷配送サービスサービス提供するようにしてもよい。すなわちアクセスしてきたユーザー端末の端末ＩＤによって識別され、予め許可されている端末については該当アクセス可能であり、そのサイトアクセスしたことによりデジタル写真配送サービスが行なわれる。
【００１７】
管理サーバーは前述の配送先取得手段により取得した配送先に対応する印刷手段にデジタル写真テータと同時にこのデジタル写真の配送先データを通知する通知手段を有しこの印刷手段によって印刷されたデジタル写真はこの通知手段によって通知された配送先に配送可能とすればよい。
【００１８】
この通知手段はデジタル写真と同一の紙または樹脂に配送先が印刷出力するようにすればよい。
【００１９】
あるいはこの通知手段はデジタル写真を印刷した印刷物をパッケージングするパッケージに配送先が印刷出力されるパッケージ印刷手段であり、さらに印刷されたデジタル写真は配送先が印刷されたパッケージにパッケージされ配送されるようにすればよい。
【００２０】
複数のデジタル写真を印刷したものをパッケージにパッケージして送る場合間違える可能性があるのでパッケージ配送先が印刷されたパッケージと該当配送先に配送されるこのデジタル写真を印刷した印刷物は配送先指定手段により他の配送先と区別され、この配送先指定手段はデジタル写真を印刷した印刷物の一部に識別コードを有し、この識別コードを認識することにより該当する配送先が印刷されたパッケージ格納するようにすればよい。そしてこの識別コードは２次元コードあるいはＲＦ−ＩＤを活用してもよい。さらに自動機によってこの識別コードを使い印刷されたデジタル写真をパッケージにいれてもよい。
【００２１】
次にポイントシステムと連動したものについて説明する。物販あるいはサービス販売の販売促進の目的で物品またはサービスの購入者あるいは物品の受け取り者あるいはサービス受益者に物販あるいはサービス販売者が提供するサービスとしてデジタル写真を印刷し所望の配達先に配達するデジタル写真印刷配送サービスにおいてこのデジタル写真印刷配送サービスを管理する管理サーバー、通信機能を有する端末、このデジタル写真を印刷する印刷手段を有し、さらにこのデジタル写真印刷配送サービスは前述の物販あるいはサービス販売の販売者のポイントシステムとして連動しており、このポイントが所定に達した購入者あるいは物品の受け取り者あるいはサービス受益者に対して管理サーバーにデジタル写真印刷配送サービスを受けることが可能とする有効化手段を設けておく。
【００２２】
そしてこの管理サーバーはデジタル写真印刷配送サービスが実施されるごとにデジタル写真印刷配送サービスを記録する蓄積手段を有し、この蓄積手段を解析してポイントシステムを畝いしている物販あるいはサービス販売者に対してサービスに応じてサービス金額を請求する請求手段あるいは決済する決済手段あるいはその両者（請求手段と決済手段）を設けておけばよい。
【００２３】
この管理サーバーは前述の端末から画像情報を取得する写真画像取得手段を有し、この写真画像取得手段は少なくともＥメール、サーバーサイトアップロード、予め登録してある情報からの選択から選ばれた少なくとも１つの方法であればよく、必用に応じて複数の画像を組み合わせて合成することもさらに効果的である。例えば人の写真画像と予め登録されている観光地の写真画像と組み合わせて人がこの観光地にいるごとく合成された写真画像などである。
【００２４】
デジタル写真を印刷したものの配送先についてはこの管理サーバーは前述の端末から配送先情報を取得する配送先情報取得手段を設けておき、この配送先情報取得手段は少なくともＥメール、サーバーサイトアップロード、予め登録してある情報からの選択から選ばれた少なくとも１つの方法であればよい。
【００２５】
また効率的に配送先に配送するためにこの管理サーバーは前述のデジタル写真の配送先取得手段、配送先取得手段で取得した配送先に対応した印刷手段を選択する選択手段を設けておき、デジタル写真のデータを前述の選択手段で選択した印刷手段にデジタル写真データを送信し、さらにデジタル写真の配送先データを通知する通知手段、前述の印刷手段によって印刷されたデジタル写真はこの通知手段によって通知された配送先に配送可能とすればよい。印刷手段の選択は該当配送先に一番都合のよい配送センターにある印刷手段とうを選択すればよい。
【００２６】
また効率的に配送先に配送するためにこの管理サーバーは前述のデジタル写真の配送先取得手段、配送先取得手段で取得した配送先に対応した印刷手段を選択する選択手段を設けておき、デジタル写真のデータを前述の選択手段で選択した印刷手段にデジタル写真データを送信し、さらにデジタル写真の配送先データを通知する通知手段、前述の印刷手段によって印刷されたデジタル写真はこの通知手段によって通知された配送先に配送可能とすればよい。印刷手段の選択は該当配送先に一番都合のよい配送センターにある印刷手段とうを選択すればよい。
【００２７】
この有効化手段は予め登録してある購入者あるいは物品の受け取り者あるいはサービス受益者に知らせる通知手段を有し、この通知手段により通知された者のみがこのサービス権利を行使可能とすればよい
【００２８】
そしてこの有効化手段はサイトアドレス、該サイトアドレスにアクセスするためのＩＤ、暗証であり、前述のサイトにアクセスすることにより管理サーバーはアクセスしたアクセス者にデジタル写真印刷配送サービスを行なうようにすればよい。
【００２９】
このＩＤ，暗証は前述の物品またはサービスの購入者あるいは物品の受け取り者あるいはサービス受益者に通知する通知手段を設けておけばよい。例えばこの通知手段としてはＩＤ、暗証は商品販売の場合であれば商品パッケージの中に、サービスであればサービス説明書等にサイトアドレスと共にこのＩＤ、暗証を印刷したものを同封しておけばよい。
【００３０】
この有効化手段はデジタル写真配送サービスを受けるための写真を送付するメールアドレスであり、このメールアドレスは所定の数のメールのみを受け付けるようにしておけばよい。もちろんこのメールアドレスは他と区別するためユニークなものであることは言うまでもない。
【００３１】
そしてこのメールアドレスは物品またはサービスの購入者あるいは物品の受け取り者あるいはサービス受益者に通知する通知手段を設けておけばよい。例えばこの通知手段としてはメールアドレスを印刷したものを商品販売の場合であれば商品パッケージの中に、サービスであればサービス説明書等にこのメールアドレスを印刷したものを同封しておけばよい。
【００３２】
端末がブラウザ機能付き携帯電話であって前述の有効化手段は予め管理サーバーに登録されたブラウザ機能付き携帯電話の端末ＩＤ（各携帯電話固有の識別子）によってアクセスされた場合、該当端末ＩＤのアクセス許可を行なうアクセス許可手段を設けておけばよい。
すなわちアクセスしてきたユーザー端末の端末ＩＤによって識別され、予め許可されている端末については該当アクセス可能であり、そのサイトアクセスしたことによりデジタル写真配送サービスが行なわれる。
【００３３】
管理サーバーは前述の配送先取得手段により取得した配送先に対応する印刷手段にデジタル写真テータと同時にこのデジタル写真の配送先データを通知する通知手段を有しこの印刷手段によって印刷されたデジタル写真はこの通知手段によって通知された配送先に配送可能とすればよい。
【００３４】
この通知手段はデジタル写真と同一の紙または樹脂に配送先が印刷出力するようにすればよい。
【００３５】
あるいはこの通知手段はデジタル写真を印刷した印刷物をパッケージングするパッケージに配送先が印刷出力されるパッケージ印刷手段であり、さらに印刷されたデジタル写真は配送先が印刷されたパッケージにパッケージされ配送されるようにすればよい。
【００３６】
複数のデジタル写真を印刷したものをパッケージにパッケージして送る場合間違える可能性があるのでパッケージ配送先が印刷されたパッケージと該当配送先に配送されるこのデジタル写真を印刷した印刷物は配送先指定手段により他の配送先と区別され、この配送先指定手段はデジタル写真を印刷した印刷物の一部に識別コードを有し、この識別コードを認識することにより該当する配送先が印刷されたパッケージ格納するようにすればよい。そしてこの識別コードは２次元コードあるいはＲＦ−ＩＤを活用してもよい。さらに自動機によってこの識別コードを使い印刷されたデジタル写真をパッケージにいれてもよい。
【００３７】
このポイントシステムとの連動はポイントを管理しているポイント管理サーバーから前述の管理サーバーへの購入者あるいは物品の受け取り者あるいはサービス受益者と該当者に対するデジタル写真印刷配送許可及び数量を通知により行なわれればよい。
【００３８】
次に販促ではなくカメラ付携帯電話等からデジタル写真を送りそのデジタル写真を所望の配達先に安価に効率よく配達するシステムについて説明する。デジタル写真を通信回線を通じて送信しこのデジタル写真を印刷、配送するシステムにおいて、デジタル写真印刷配送サービスを管理する管理サーバー、通信機能を有する端末、前述のデジタル写真を印刷する印刷手段、デジタル写真を印刷配送サービスのサービス料金を決済する決済手段、前述の管理サーバーは印刷されたデジタル写真の配送先を取得する配送先取得手段、この配送先取得手段で取得した配送先に対応した印刷手段を選択する選択手段を有し、前述のデジタル写真のデータを前述の記選択手段で選択した印刷手段にデジタル写真データを送信し、さらにこのデジタル写真の配送先データを通知する通知手段、前述の印刷手段によって印刷されたデジタル写真はこの通知手段によって通知された配送先に配送可能とすればよい。
【００３９】
そして前述の通信機能を有する端末はカメラ・ブラウザ機能付携帯電話であり、前記管理サーバーには前記カメラ・ブラウザ機能付携帯電話の端末ＩＤにより認証によりアクセス可能とすればよく決済の時にこの端末ＩＤを認証手段として使ってもよい。
【００４０】
この管理サーバーは前述の端末から画像情報を取得する写真画像取得手段を有し、この写真画像取得手段は少なくともＥメール、サーバーサイトアップロード、予め登録してある情報からの選択から選ばれた少なくとも１つの方法であればよく、必用に応じて複数の画像を組み合わせて合成することもさらに効果的である。例えば人の写真画像と予め登録されている観光地の写真画像と組み合わせて人がこの観光地にいるごとく合成された写真画像などである。
【００４１】
デジタル写真を印刷したものの配送先についてはこの管理サーバーは前述の端末から配送先情報を取得する配送先情報取得手段を設けておき、この配送先情報取得手段は少なくともＥメール、サーバーサイトアップロード、予め登録してある情報からの選択から選ばれた少なくとも１つの方法であればよい。
【００４２】
また効率的に配送先に配送するためにこの管理サーバーは前述のデジタル写真の配送先取得手段、配送先取得手段で取得した配送先に対応した印刷手段を選択する選択手段を設けておき、デジタル写真のデータを前述の選択手段で選択した印刷手段にデジタル写真データを送信し、さらにデジタル写真の配送先データを通知する通知手段、前述の印刷手段によって印刷されたデジタル写真はこの通知手段によって通知された配送先に配送可能とすればよい。印刷手段の選択は該当配送先に一番都合のよい配送センターにある印刷手段とうを選択すればよい。
【００４３】
また効率的に配送先に配送するためにこの管理サーバーは前述のデジタル写真の配送先取得手段、配送先取得手段で取得した配送先に対応した印刷手段を選択する選択手段を設けておき、デジタル写真のデータを前述の選択手段で選択した印刷手段にデジタル写真データを送信し、さらにデジタル写真の配送先データを通知する通知手段、前述の印刷手段によって印刷されたデジタル写真はこの通知手段によって通知された配送先に配送可能とすればよい。印刷手段の選択は該当配送先に一番都合のよい配送センターにある印刷手段とうを選択すればよい。
【００４４】
管理サーバーは前述の配送先取得手段により取得した配送先に対応する印刷手段にデジタル写真テータと同時にこのデジタル写真の配送先データを通知する通知手段を有しこの印刷手段によって印刷されたデジタル写真はこの通知手段によって通知された配送先に配送可能とすればよい。
【００４５】
この通知手段はデジタル写真と同一の紙または樹脂に配送先が印刷出力するようにすればよい。あるいはこの通知手段はデジタル写真を印刷した印刷物をパッケージングするパッケージに配送先が印刷出力されるパッケージ印刷手段であり、さらに印刷されたデジタル写真は配送先が印刷されたパッケージにパッケージされ配送されるようにすればよい。
【００４６】
複数のデジタル写真を印刷したものをパッケージにパッケージして送る場合間違える可能性があるのでパッケージ配送先が印刷されたパッケージと該当配送先に配送されるこのデジタル写真を印刷した印刷物は配送先指定手段により他の配送先と区別され、この配送先指定手段はデジタル写真を印刷した印刷物の一部に識別コードを有し、この識別コードを認識することにより該当する配送先が印刷されたパッケージ格納するようにすればよい。そしてこの識別コードは２次元コードあるいはＲＦ−ＩＤを活用してもよい。さらに自動機によってこの識別コードを使い印刷されたデジタル写真をパッケージにいれてもよい。
【発明の効果】
【００４７】
以上述べたよう本発明によればカメラ付き携帯などで撮影したデジタル写真を効率的に所望の相手に安価で簡便に印刷された写真を送付することが可能となり、販売促進などに役に有利であるばかりでなく、販売促進を行なう者にとっても実際にサービスが使われただけコストを負担すればいいので資金の運用も効率的になる。さらにデジタルを使いこなしている若年者などはデジタル以外の取り扱いが苦手であり、これに対してデジタルの取り扱いの容易でない年配者等に対してはデジタル写真を送っても見ることができないが、本システムを活用すれば若年者と年配者のコミュニケーションも容易となる。
【発明を実施する最良の形態】
【００４８】
以下に具体的に説明していく。
【実施例１】
【００４９】
以下さらに図に基づいてさらに詳しく説明していく。図１は本発明の１つの形態の流れを示しており物販・サービス販売者が販売促進の手段として本システムを利用する場合の例であり、例えばデジタルに弱い年配者が孫にプレゼントする場合である。孫に対してクリスマスプレゼント、誕生日のプレゼントなどを贈るとそのお礼として今ほとんど標準となったカメラ付携帯電話で孫の写真を撮りそのデジタル写真を紙や場合によっては樹脂等に印刷してプレゼントした年配者にお礼の写真を配送するという応用が考えられる。
【００５０】
ここで１０１の物販・サービスの販売者は物品、サービスを販売する。そのとき購入者１０２は購入したサービスとしてデジタル写真を紙等に印刷して指定のところに配送する権利を得る。購入者１０２はギフトとして最終ユーザー１０３にその物品、サービスをプレゼントするとプレゼントされた最終ユーザーはカメラ付携帯で撮った写真と必要情報を管理サーバー１０４に送信する。もちろんここでは購入者がプレゼントせず自分でこの権利を行使してもよくその場合には購入者が直接デジタル写真画像を管理サーバーに送る。
【００５１】
管理サーバー１０４は送信されたデジタル写真の配送先によって最適な印刷手段１０５を選択し選択した印刷手段に該当写真と必要な情報を送信する。そこで１０５はデジタル写真と必要な情報、配送先情報等を印刷し配送先に配送する。管理サーバーにはデジタル写真の配送サービスの実施状況を蓄積しておき所定のタイミングで物販・サービス販売者に請求しサービスにかかった費用を負担してもらう。こうすることによって物販・サービス販売者は販売促進で実際にかかった経費のみ支払えばよく適正なコストで販売促進を行うことが可能となる。
【００５２】
さらに詳しく説明していくが、図２はそのときのブロック図であり２０１は最終ユーザーあるいは購入者のカメラ付携帯端末、２０２は管理サーバー、２０３は物販・サービス販売者のサーバー２０４は各地域の印刷配送センター、２０５はプリンターである。２０１のカメラ付携帯電話から所定の手続きを行うことによって管理サーバー１０２にデジタル写真と必要情報を送付し、管理サーバー２０２は該当のデジタル写真と情報をを最適な１０５の印刷配送センター送付する。２０５の印刷配送センターでは２０６のプリンターで該当写真と必要な情報を印刷し配送先に配送する。管理サーバーはデジタル写真印刷配送サービスが行われると２０５の印刷配送センターから２０２の管理サーバーにサービスが行われたことを通知し、２０２の管理サーバーはサービスが行われ通知されるたびにその結果を蓄積していく。
【００５３】
管理サーバーは例えば１週間に一度といった所定のタイミングで蓄積データの解析を行いデジタル写真印刷配送サービスに要した費用を計算し物販・サービス販売者のサーバー２０４に請求等を通知し、公知の決済手段で決済すればよい。
【００５４】
図３は本実施例のフロチャートであり、３０１において購入者が商品を購入し３０２は贈り物の場合商品を送り先へ配送する。３０３では最終ユーザーに贈り物が到着し、贈られた側はその商品を受け取るととともに３０４において所定手順によりデジタル写真印刷配送サービスを受ける権利の行使を行うためにサーバー等にアクセスを行うが、この方法の詳細については後から述べる。
【００５５】
次に３０５においてデジタル写真および必要な情報を管理サーバーに送信する。３０６、３０７においては送信されたデジタル写真および必要情報を解析し最適な印刷手段を選択する。そして選択された最適な印刷手段にデジタル写真、必要な情報を送信するが、ここで最適な印刷手段は地域的に配送先の担当配送センターであったり、あるいは特殊印刷が要望されているときは特殊印刷可能な印刷機が設置されている印刷手段（印刷センター）であったりする。
【００５６】
つぎに印刷されたデジタル写真を配送し印刷配送センターより配送確認の通知を受けて管理サーバーで３０８のように確認を行い３０９でデジタル写真印刷配送サービスの実施を蓄積していく。３１０においは所定のタイミングで蓄積データを解析し料金・費用を演算し請求、決済を行っている。
【００５７】
図４はこの処理の流れを示したもので、デジタル写真印刷配送サービスの権利をＩＤ、暗証で発生させるものである。まず管理サーバーにおいてＩＤ、暗証を生成し物品・サービス販売者に送信する。販売者はこの情報を説明書として印刷するがその例を図５にしめした。図５においてはアクセスするサイトアドレス、ＩＤ、暗証が記載してある。さらにＱＲコードが印刷されておりこのＱＲコードを読み取り機能付携帯電話等で読み取れば直接アクセス可能となっている。
【００５８】
販売者は商品の場合はパッケージの中、サービスの場合は説明書等にこのの図５に示す説明書を同梱する。購入者がこの商品等をプレゼントした場合に商品を受け取った（サービス受益者）人は同梱された説明書を読み管理サーバーにアクセスし、デジタル写真画像・必要情報を送信する。管理サーバーは先ほど説明したように最適な印刷手段に該当デジタル写真画像・必要情報を解析して送信する。このデジタル写真を印刷し購入者に配送するとともにデジタル写真印刷配送サービスのデータを蓄積する。そして所定のタイミングでこの蓄積データを解析し料金を計算し物品・サービス者に請求を通知し決済等を行う。
【００５９】
次に図５の説明書に従いサイトにアクセスしＩＤ、暗証によって認証されたあとの手順を説明していく。その時のカメラ付携帯電話の画面を示したものが図６にであり、送付先の住所、名前、郵便番号等を入力するようになっている。ここには記載されていないが他の情報例えば電話番号等も必要に応じて入力するようにすればよい。そしてこの画面で入力を行い「送信」ボタンを押せば該当情報が管理サーバーに送られ図７のように確認画面が表示される。ここでコメントが入れたければ「コメント必要」というリンクを押せばコメント入力画面に遷移しコメントの入力が可能となる。必要なければ「次へ」のリンクを押せばメールが起動する。その様子が図７であり、送信先アドレスは管理サーバーがユニークなメールアドレスを生成する。このメールにデジタル写真を添付すればよく、メールによりデジタル写真で送られ前述のメールアドレスによってメールが解析され該当のデジタル写真が管理サーバーの所定のエリアにアップロードされる。
【００６０】
次に配送の部分についてさらに詳しく説明していくが、図９はそのフローである。９０１においてカメラ付携帯電話等からデジタル写真を取得し、さらに９０２で同様に配送先住所が取得される。９０３においてはユーザーの希望に応じて印刷配送されるデジタル写真にコメントをつけたい場合文字コメントを取得する。そして９０４で取得した情報（配送先等）を解析し９０５で最適な配送センターを選択決定する。そして９０６で選択した配送センターにデジタル写真・文字コメント・配送先データを送信する。そのデータを該当の紙あるいは樹脂当に写真、文字、配送先等を印刷し９０８で配送先に配送すればよい。
【００６１】
次にデジタル写真印刷配送サービスの権利を行使する方法について述べるが、図１０はその１例でＩＤ、暗証で認証する方法であり、前述に述べてきたものである。まず１００１において管理サーバーでＩＤ、暗証を発行し１００２においてこのＩＤ、暗証を販売者に送付する。販売者は１００３においてこのＩＤ、暗証を販売促進の説明書に印刷し（図５のように）、１００５において商品パッケージ、サービス説明書等に同梱する。
【００６２】
他の方法についても述べるが図１１はメールアドレスを商品パッケージあるいはサービスの説明書につける方法であり、１１０１において管理サーバーでユニークなデジタル写真送付先アドレスを生成発行し、１１０２において販売者にこのユニークなメールアドレスを送付する。１１０３においてこのメールアドレスを販売促進の説明書に印刷し、１１０５において商品パッケージ、サービス説明書等に同梱する。権利者はこの説明書を元に管理サーバーに写真付メールを送付すればよく、必要に応じて受け取ったデジタル写真添付メールに返信を行い入力画面のアドレスをメールで返信するか、あるいは必要事項の記入依頼のメールを返せばよい。権利を行使する方法はもちろんこれらに限られるものではなく例えば予め携帯電話（端末ＩＤ）を登録しておき管理サーバーで該当者に権利を与えてよいときにはアクセスしてきた携帯電話を端末ＩＤで認証して権利を行使できるようにしてもよい。
【００６３】
次にデジタル写真を印刷した例を示すがその様子が図１２であり、片面に配送先、コメント、写真が印刷されている。もちろん片面に限られるものではなく両面に印刷されていてもよい。例えば写真とコメントは表面、配送先は裏面というのでもよい。
【００６４】
次の例は写真を印刷した紙、樹脂等をパッケージして贈る例であり、その様子は図１３に示した。ここで（Ａ）はデジタル写真印刷した表面、（Ｂ）はその裏面でＱＲコードが印刷されている。（Ｃ）はパッケージで配送先が印刷されており、右下部に（Ｂ）と同様にＱＲコードが印刷されており、このＱＲコードにより写真とパッケージをマッチさせてパッケージして配送すればよい。本実施例ではＱＲコードで行ったがこれに限られるものではなくＲＦ−ＩＤを利用してもあるいは他のコード、文字識別等でもよい。
【実施例２】
【００６５】
次にポイントシステムとの連動の例を示す。図１４は本発明の第２の形態の流れを示しており物販・サービス販売者が販売促進でポイントシステムと連動して本システムを利用する場合の例である。ここで１４０１の物販・サービスの販売者は物品、サービスを販売する。そのとき購入者１４０２あるいは最終ユーザ−１４０３はは購入したサービスとしてポイントが所定まで蓄積されたらデジタル写真を紙等に印刷して指定のところに配送する権利（サービス有効化）を得る。購入者１４０２はギフトとして最終ユーザー１４０３にその物品、サービスをプレゼントするとプレゼントされた最終ユーザーのどちらかでポイントが所定あまで蓄積されたらデジタル写真配送サービスを受ける権利（サービス有効化）をもったサービス受益者はカメラ付携帯で撮った写真と必要情報を管理サーバー１４０４に送信する。もちろんここでは購入者がプレゼントせず自分でこの権利を行使してもよくその場合には購入者が直接デジタル写真画像を管理サーバーに送る。
【００６６】
管理サーバー１４０４は送信されたデジタル写真の配送先によって最適な印刷手段１４０５を選択し選択した印刷手段に該当写真と必要な情報を送信する。そこで１４０５はデジタル写真と必要な情報、配送先情報等を印刷し配送先に配送する。管理サーバーにはデジタル写真の配送サービスの実施状況を蓄積しておき所定のタイミングで物販・サービス販売者に請求しサービスにかかった費用を負担してもらう。こうすることによって物販・サービス販売者は販売促進で実際にかかった経費のみ支払えばよく適正なコストで販売促進を行うことが可能となる。
【００６７】
さらに詳しく説明していくが、図１５はそのときのブロック図であり１５０１は最終ユーザーあるいは購入者のカメラ付携帯端末、１５０２は管理サーバー、１５０３は物販・サービス販売者のサーバー１５０４は各地域の印刷配送センター、１５０５はプリンターである。１５０１のカメラ付携帯電話から所定の手続きを行うことによって管理サーバー１５０２にデジタル写真と必要情報を送付し、管理サーバー１５０２は該当のデジタル写真と情報を最適な１５０５の印刷配送センター送付する。１５０５の印刷配送センターでは１５０６のプリンターで該当写真と必要な情報を印刷し配送先に配送する。管理サーバーはデジタル写真印刷配送サービスが行われると１５０５の印刷配送センターから１５０２の管理サーバーにサービスが行われたことを通知し、１５０２の管理サーバーはサービスが行われ通知されるたびにその結果を蓄積していく。
【００６８】
管理サーバーは例えば１週間に一度といった所定のタイミングで蓄積データの解析を行いデジタル写真印刷配送サービスに要した費用を計算し物販・サービス販売者のサーバー１５０４に請求等を通知し、公知の決済手段で決済すればよい。
【００６９】
図１６は本実施例のフロチャートであり、１６０１において購入者が商品を購入しポイントが発生し１６０２においてポイントが蓄積される。所定ポイントに到達したら１６０３のごとく権利が発生し１６０４でポイントが所定に到達し権利が発生したことを通知する。通知を受けたユーザーは１６０５において所定手順によりデジタル写真印刷配送サービスを受ける権利の行使を行うためにサーバー等にアクセスを行うが、この方法の詳細については後から述べる。
【００７０】
次に１６０６においてデジタル写真および必要な情報を管理サーバーに送信する。１６０7、１６０８おいては送信されたデジタル写真および必要情報を解析し最適な印刷手段を選択する。そして選択された最適な印刷手段にデジタル写真、必要な情報を送信するが、ここで最適な印刷手段は地域的に配送先の担当配送センターであったり、あるいは特殊印刷が要望されているときは特殊印刷可能な印刷機が設置されている印刷手段（印刷センター）であったりする。
【００７１】
つぎに印刷されたデジタル写真を配送し印刷配送センターより配送確認の通知を受けて管理サーバーで１６０９のように確認を行い１６１０でデジタル写真印刷配送サービスの実施を蓄積していく。１６１１においは所定のタイミングで蓄積データを解析し料金・費用を演算し請求、決済を行っている。
【００７２】
図１７はこの処理の流れを示したもので、ポイントが蓄積されたユーザーに対してデジタル写真印刷配送サービスの権利をＩＤ、暗証で権利を行使（有効化）するものである。管理サーバーにおいてＩＤ、暗証を生成しその結果をサイトＩＤとともに受益者にメールで送信するがそのメールを図１８に示した。サイトアドレスＩＤ、暗証を受け取った（サービス受益者）人は管理サーバーにアクセスし、デジタル写真画像・必要情報を送信する。管理サーバーは先ほど説明したように最適な印刷手段に該当デジタル写真画像・必要情報を解析して送信する。このデジタル写真を印刷し購入者に配送するとともにデジタル写真印刷配送サービスのデータを蓄積する。そして所定のタイミングでこの蓄積データを解析し料金を計算し物品・サービス者に請求を通知し決済等を行う。
【００７３】
次にサイトにアクセスしＩＤ、暗証によって認証されたあとの手順を説明していく。その時のカメラ付携帯電話の画面を示したものが図１９にであり、送付先の住所、名前、郵便番号等を入力するようになっている。ここには記載されていないが他の情報例えば電話番号等も必要に応じて入力するようにすればよい。そしてこの画面で入力を行い「送信」ボタンを押せば該当情報が管理サーバーに送られ図２０のように確認画面が表示される。ここでコメントが入れたければ「コメント必要」というリンクを押せばコメント入力画面に遷移しコメントの入力が可能となる。必要なければ「次へ」のリンクを押せばメールが起動する。その様子が図２１であり、送信先アドレスは管理サーバーがユニークなメールアドレスを生成する。このメールにデジタル写真を添付すればよく、メールによりデジタル写真で送られ前述のメールアドレスによってメールが解析され該当のデジタル写真が管理サーバーの所定のエリアにアップロードされる。
【００７４】
次に配送の部分についてさらに詳しく説明していくが、図２３はそのフローである。２２０１においてカメラ付携帯電話等からデジタル写真を取得し、さらに２２０２で同様に配送先住所が取得される。２２０３においてはユーザーの希望に応じて印刷配送されるデジタル写真にコメントをつけたい場合文字コメントを取得する。そして２２０４で取得した情報（配送先等）を解析し２２０５で最適な配送センターを選択決定する。そして２２０６で選択した配送センターにデジタル写真・文字コメント・配送先データを送信する。そのデータを該当の紙あるいは樹脂当に写真、文字、配送先等を印刷し２２０８で配送先に配送すればよい。
【００７５】
次にデジタル写真印刷配送サービスの権利を行使する方法について述べるが、図２３はその１例でＩＤ、暗証で認証する方法であり、前述に述べてきたものである。まず２３０１において販売者がポイント蓄積の確認を行いその結果に基づき販売者が要求を行い管理サーバーでＩＤ、暗証を発行し２３０２においてこのＩＤ、暗証をサービスポイント対象者にメールで送信する。こうすることによってポイント対象者は権利を行使することが可能となり、２３０４でデジタル写真および必要情報を管理サーバーに送付すればよい。
【００７６】
他の方法についても述べるが図２４はメールアドレスをポイント対象者に送付する方法である。まず２４０１において販売者がポイント蓄積の確認を行いその結果に基づき販売者が要求を行い管理サーバーにおいてユニークなメールアドレスを生成し、そのメールアドレスをポイント対象者にメールで通知する。メールを受け取ったポイント対象者はこのメールを元に管理サーバーに写真付メールを送付すればよく、必要に応じて受け取ったデジタル写真添付メールに返信を行い入力画面のアドレスをメールで返信するか、あるいは必要事項の記入依頼のメールを返せばよい。権利を行使する方法はもちろんこれらに限られるものではなく例えば予め携帯電話（端末ＩＤ）を登録しておき管理サーバーで該当者に権利を与えてよいときにはアクセスしてきた携帯電話を端末ＩＤで認証して権利を行使できるようにしてもよい。
【００７７】
次にデジタル写真を印刷した例を示すがその様子が図２５であり、片面に配送先、コメント、写真が印刷されている。もちろん片面に限られるものではなく両面に印刷されていてもよい。例えば写真とコメントは表面、配送先は裏面というのでもよい。
【００７８】
次の例は写真を印刷した紙、樹脂等をパッケージして贈る例であり、その様子は図２６に示した。ここで（Ａ）はデジタル写真印刷した表面、（Ｂ）はその裏面でＱＲコードが印刷されている。（Ｃ）はパッケージで配送先が印刷されており、右下部に（Ｂ）と同様にＱＲコードが印刷されており、このＱＲコードにより写真とパッケージをマッチさせてパッケージして配送すればよい。本実施例ではＱＲコードで行ったがこれに限られるものではなくＲＦ−ＩＤを利用してもあるいは他のコード、文字識別等でもよい。
【実施例３】
【００７９】
次にユーザーが直接デジタル写真を送付しユーザー所望の配送先に印刷されたデジタル写真を効率的に安価に配送する方法について説明していく。図２７は本発明の第３の実施例の形態の流れを示している。ここで２７０１のユーザーはサイトにアクセスしこのサービス費用の決済、必要情報の送付（デジタル写真画像、配送先）を管理サーバー２７０２に送信する。管理サーバー２７０２は送信されたデジタル写真の配送先によって最適な印刷手段２７０３を選択し選択した印刷手段に該当写真と必要な情報を送信する。そこで２７０３はデジタル写真と必要な情報、配送先情報等を印刷し配送先に配送する。
【００８０】
さらに詳しく説明していくが、図２８はそのときのブロック図であり２８０１はユーザーのカメラ付携帯端末、２８０２は管理サーバー、２８０３から２８０５は各地域の印刷配送センター、２８０６から２８０８はプリンターである。２８０１のカメラ付携帯電話から所定の手続きを行うことによって管理サーバー２８０２にデジタル写真と必要情報を送付し、管理サーバー２８０２は該当のデジタル写真と情報を最適な２８０３の印刷配送センター送付する。２８０３の印刷配送センターでは２８０６のプリンターで該当写真と必要な情報を印刷し配送先に配送する。
【００８１】
図２９は本実施例のフロチャートであり、３０１においてユーザーはサイトにアクセスし、２９０２でサービス費用を決済する。このときの決済は公知の決済方法を利用すればよく、携帯電話のキャリアが行っている通信料金に付加して決済する方法等をとればよい。次に２９０３においてデジタル写真および必要な情報を管理サーバーに送信する。２９０４においては送信されたデジタル写真および必要情報を解析し最適な印刷手段を選択する。そして選択された最適な印刷手段にデジタル写真、必要な情報を送信するが、ここで最適な印刷手段は地域的に配送先の担当配送センターであったり、あるいは特殊印刷が要望されているときは特殊印刷可能な印刷機が設置されている印刷手段（印刷センター）であったりする。そして２９０５において配送指示を行いデジタル写真を印刷したものを配送する。
【００８２】
次に操作入力の手順を説明していく。まず相手先入力の時のカメラ付携帯電話の画面を示したものが図３０であり、送付先の住所、名前、郵便番号等を入力するようになっている。ここには記載されていないが他の情報例えば電話番号等も必要に応じて入力するようにすればよい。そしてこの画面で入力を行い「送信」ボタンを押せば該当情報が管理サーバーに送られ図３１のように確認画面が表示される。ここでコメントが入れたければ「コメント必要」というリンクを押せばコメント入力画面に遷移しコメントの入力が可能となる。必要なければ「次へ」のリンクを押せばメールが起動する。その様子が図３２であり、送信先アドレスは管理サーバーがユニークなメールアドレスを生成する。このメールにデジタル写真を添付すればよく、メールによりデジタル写真で送られ前述のメールアドレスによってメールが解析され該当のデジタル写真が管理サーバーの所定のエリアにアップロードされる。
【００８３】
次に配送の部分についてさらに詳しく説明していくが、図３３はそのフローである。３３０１においてカメラ付携帯電話等からデジタル写真を取得し、さらに３３０２で同様に配送先住所が取得される。３３０３においてはユーザーの希望に応じて印刷配送されるデジタル写真にコメントをつけたい場合文字コメントを取得する。そして３３０４で取得した情報（配送先等）を解析し３３０５で最適な配送センターを選択決定する。そして３３０６で選択した配送センターにデジタル写真・文字コメント・配送先データを送信する。そのデータを該当の紙あるいは樹脂当に写真、文字、配送先等を印刷し３３０８で配送先に配送すればよい。
【００８４】
次にデジタル写真を印刷した例を示すがその様子が図３４であり、片面に配送先、コメント、写真が印刷されている。もちろん片面に限られるものではなく両面に印刷されていてもよい。例えば写真とコメントは表面、配送先は裏面というのでもよい。
【００８５】
次の例は写真を印刷した紙、樹脂等をパッケージして贈る例であり、その様子は図３５に示した。ここで（Ａ）はデジタル写真印刷した表面、（Ｂ）はその裏面でＱＲコードが印刷されている。（Ｃ）はパッケージで配送先が印刷されており、右下部に（Ｂ）と同様にＱＲコードが印刷されており、このＱＲコードにより写真とパッケージをマッチさせてパッケージして配送すればよい。本実施例ではＱＲコードで行ったがこれに限られるものではなくＲＦ−ＩＤを利用してもあるいは他のコード、文字識別等でもよい。
【図面の簡単な説明】
【００８６】
【図１】実施例１の概要
【図２】実施例１のブロック図
【図３】実施例１のフロー
【図４】実施例１のそれぞれの間の流れ
【図５】サービスを受けるための説明書例
【図６】配送先入力画面
【図７】確認画面
【図８】起動したメールの画面
【図９】配送についての流れ
【図１０】権利化の方法  ＩＤ、暗証
【図１１】権利化の方法  メール
【図１２】印刷例
【図１３】印刷例  パッケージに入れるタイプ
【図１４】実施例２の概要
【図１５】実施例２ブロック図
【図１６】実施例２のフロー
【図１７】実施例２のそれぞれの間の流れ
【図１８】サービスを知らせるメール
【図１９】配送先入力画面
【図２０】確認画面
【図２１】起動したメールの画面
【図２２】配送についての流れ
【図２３】権利化の方法  ＩＤ、暗証
【図２４】権利化の方法  メール
【図２５】印刷例
【図２６】印刷例  パッケージに入れるタイプ
【図２７】実施例３の概要
【図２８】実施例３ブロック図
【図２９】実施例２のフロー
【図３０】配送先入力画面
【図３１】確認画面
【図３２】起動したメール
【図３３】配送についての流れ
【図３４】印刷例
【図３５】印刷例  パッケージに入れるタイプ
【図１】
2006178700.tif 000003
【図２】
2006178700.tif 000004
【図３】
2006178700.tif 000005
【図４】
2006178700.tif 000006
【図５】
2006178700.tif 000007
【図６】
2006178700.tif 000008
【図７】
2006178700.tif 000009
【図８】
2006178700.tif 000010
【図９】
2006178700.tif 000011
【図１０】
2006178700.tif 000012
【図１１】
2006178700.tif 000013
【図１２】
2006178700.tif 000014
【図１３】
2006178700.tif 000015
【図１４】
2006178700.tif 000016
【図１５】
2006178700.tif 000017
【図１６】
2006178700.tif 000018
【図１７】
2006178700.tif 000019
【図１８】
2006178700.tif 000020
【図１９】
2006178700.tif 000021
【図２０】
2006178700.tif 000022
【図２１】
2006178700.tif 000023
【図２２】
2006178700.tif 000024
【図２３】
2006178700.tif 000025
【図２４】
2006178700.tif 000026
【図２５】
2006178700.tif 000027
【図２６】
2006178700.tif 000028
【図２７】
2006178700.tif 000029
【図２８】
2006178700.tif 000030
【図２９】
2006178700.tif 000031
【図３０】
2006178700.tif 000032
【図３１】
2006178700.tif 000033
【図３２】
2006178700.tif 000034
【図３３】
2006178700.tif 000035
【図３４】
2006178700.tif 000036
【図３５】
2006178700.tif 000037